(57)【要約】【課題】映像を配信するサービスにおいて、配信映像の一部をより高い画質で提供すること。【解決手段】配信サーバ装置３０の映像配信部３０７は、元映像（３６０度映像）のデータ量を減少させる処理（切出処理及び画質変更処理）を行い、それらの処理と並行してそれらの処理で得られた映像を配信する。参加人端末２０の撮影指示部２１１は、自端末に表示されている映像を撮影する撮影操作がユーザによって行われると、表示された映像を撮影するための処理を行うよう配信サーバ装置３０に指示する。配信サーバ装置３０の撮影映像抽出部３１１は、映像配信部３０７により配信された映像の一部が指定された場合に、配信された映像の元映像（３６０度映像）のうちのその一部に対応する部分を撮影映像として抽出する。【選択図】図５
2019165369.tif 000002
【特許請求の範囲】
【請求項１】
元映像に対してデータ量を減少させる処理を適宜行いながら当該処理で得られた映像を配信する配信部と、
前記配信部により配信される映像の一部が指定された場合に、前記元映像のうち当該一部に対応する部分を抽出する抽出部と
を備える情報処理装置。
【請求項２】
前記元映像は、撮影された映像であり、
前記配信部は、過去に撮影された映像を前記元映像として配信を行い、
前記抽出部は、前記過去に撮影された映像を前記元映像とした配信がされて前記一部が指定された場合に、当該元映像のうち当該一部に対応する部分を抽出する
請求項１に記載の情報処理装置。
【請求項３】
前記過去に撮影された映像のうち、指定された前記一部に対応する部分が撮影されたときを含む所定の期間の映像を蓄積する蓄積部を備え、
前記配信部は、蓄積された前記映像を前記過去に撮影された映像として配信を行う
請求項２に記載の情報処理装置。
【請求項４】
前記元映像は、撮影され、且つ、１画面に収まらない大きさの映像であり、
前記配信部は、前記処理で得られた映像であって選択された範囲の映像を配信し、且つ、過去に撮影された映像を前記元映像として配信を行い、前記元映像が撮影されたときの配信と過去に撮影された映像を前記元映像とする配信とで異なる範囲が選択された場合は、当該異なる範囲の映像をそれぞれ配信する
請求項１から３のいずれか１項に記載の情報処理装置。
【請求項５】
前記配信部は、ユーザの視野を示す範囲を前記選択された範囲として映像を配信し、所定の操作が行われると当該視野が固定された映像を配信する
請求項４に記載の情報処理装置。
【請求項６】
前記配信部は、前記元映像のうち配信先のユーザとは異なるユーザが選択した範囲の映像を配信する
請求項４又は５に記載の情報処理装置。
【請求項７】
過去に選択された範囲の映像に映っている対象の属性を検出する検出部を備え、
前記配信部は、前記元映像のうち検出された前記属性を有する対象が映っている範囲の映像を配信する
請求項４から６のいずれか１項に記載の情報処理装置。
【請求項８】
前記配信部は、特定の対象の属性が選択された場合に、前記元映像のうち当該属性を有する対象が映っている範囲の映像を配信する
請求項４から７のいずれか１項に記載の情報処理装置。
【請求項９】
前記配信部は、配信先のユーザとは別のユーザにより指定された前記一部を特定するためのガイド画像を重畳した映像を前記配信先のユーザに配信する
請求項１から８のいずれか１項に記載の情報処理装置。
【請求項１０】
前記抽出部により抽出された映像をユーザに提供するための処理を行う処理部であって、所定のグループに属するユーザが指定して抽出された映像を、当該グループに属する他のユーザにも提供するための処理を行う処理部を備える
請求項１から９のいずれか１項に記載の情報処理装置。
【発明の詳細な説明】
【技術分野】
【０００１】
本発明は、映像を配信する技術に関する。
【背景技術】
【０００２】
特許文献１には、無人航空機（ドローン）が撮影した映像をリアルタイムで仮想現実端末に配信する技術が開示されている。
【先行技術文献】
【特許文献】
【０００３】
【特許文献１】特表２０１７−５０４８６３号公報
【発明の概要】
【発明が解決しようとする課題】
【０００４】
映像をユーザに配信するサービス（例えば旅先の映像を配信する仮想旅行サービス）を提供する場合、通信の遅延に繋がるので配信する映像のデータ量を少なく抑える必要がある。一方で、視聴している映像の一部を写真のように保存して提供する場合は、よりデータ量が多い映像を提供することができると、高画質な映像を楽しめるので望ましい。
そこで、本発明は、映像を配信するサービスにおいて、配信映像の一部をより高い画質で提供することを目的とする。
【課題を解決するための手段】
【０００５】
上記目的を達成するために、本発明は、元映像に対してデータ量を減少させる処理を適宜行いながら当該処理で得られた映像を配信する配信部と、前記配信部により配信される映像の一部が指定された場合に、前記元映像のうち当該一部に対応する部分を抽出する抽出部とを備える情報処理装置を提供する。
【０００６】
また、前記元映像は、撮影された映像であり、前記配信部は、過去に撮影された映像を前記元映像として配信を行い、前記抽出部は、前記過去に撮影された映像を前記元映像とした配信がされて前記一部が指定された場合に、当該元映像のうち当該一部に対応する部分を抽出してもよい。
【０００７】
また、前記過去に撮影された映像のうち、指定された前記一部に対応する部分が撮影されたときを含む所定の期間の映像を蓄積する蓄積部を備え、前記配信部は、蓄積された前記映像を前記過去に撮影された映像として配信を行ってもよい。
【０００８】
また、前記元映像は、撮影され、且つ、１画面に収まらない大きさの映像であり、前記配信部は、前記処理で得られた映像であって選択された範囲の映像を配信し、且つ、過去に撮影された映像を前記元映像として配信を行い、前記元映像が撮影されたときの配信と過去に撮影された映像を前記元映像とする配信とで異なる範囲が選択された場合は、当該異なる範囲の映像をそれぞれ配信してもよい。
【０００９】
また、前記配信部は、ユーザの視野を示す範囲を前記選択された範囲として映像を配信し、所定の操作が行われると当該視野が固定された映像を配信してもよい。
【００１０】
また、前記配信部は、前記元映像のうち配信先のユーザとは異なるユーザが選択した範囲の映像を配信してもよい。
【００１１】
また、過去に選択された範囲の映像に映っている対象の属性を検出する検出部を備え、
前記配信部は、前記元映像のうち検出された前記属性を有する対象が映っている範囲の映像を配信してもよい。
【００１２】
また、前記配信部は、特定の対象の属性が選択された場合に、前記元映像のうち当該属性を有する対象が映っている範囲の映像を配信してもよい。
【００１３】
また、前記配信部は、配信先のユーザとは別のユーザにより指定された前記一部を特定するためのガイド画像を重畳した映像を前記配信先のユーザに配信してもよい。
【００１４】
また、前記抽出部により抽出された映像をユーザに提供するための処理を行う処理部であって、所定のグループに属するユーザが指定して抽出された映像を、当該グループに属する他のユーザにも提供するための処理を行う処理部を備えていてもよい。
【発明の効果】
【００１５】
本発明によれば、映像を配信するサービスにおいて、配信映像の一部をより高い画質で提供することができる。
【図面の簡単な説明】
【００１６】
【図１】実施例に係る仮想旅行システムの全体構成を表す図
【図２】代理人端末のハードウェア構成を表す図
【図３】参加人端末のハードウェア構成を表す図
【図４】配信サーバ装置のハードウェア構成を表す図
【図５】仮想旅行システムが実現する機能構成を表す図
【図６】指定範囲の例を表す図
【図７】表示された映像の一例を表す図
【図８】撮影処理における各装置の動作手順の一例を表す図
【図９】変形例で実現される全体構成を表す図
【図１０】表示されたメニューコンテンツの一例を表す図
【図１１】変形例で表示されたコンテンツの一例を表す図
【図１２】変形例で実現される全体構成の別の例を表す図
【図１３】変形例で表示された操作子画像の例を表す図
【図１４】変形例で表示された操作子画像の例を表す図
【図１５】変形例で実現される全体構成を表す図
【図１６】変形例で表示されたガイド画像の一例を表す図
【発明を実施するための形態】
【００１７】
［１］実施例
図１は実施例に係る仮想旅行システム１の全体構成を表す。仮想旅行システム１は、観光地等の旅行先に行かなくても仮想的に旅行を楽しむ仮想旅行サービスを提供するためのシステムである。仮想旅行システム１は、旅行先の映像を撮影する代理人と、仮想旅行に参加する参加人という２種類のユーザによって主に利用される。
【００１８】
仮想旅行システム１は、ネットワーク２と、代理人端末１０と、参加人端末２０と、配信サーバ装置３０とを備える。ネットワーク２は、移動体通信網及びインターネット等を含む通信システムであり、自システムにアクセスする装置同士のデータのやり取りを中継する。ネットワーク２には、配信サーバ装置３０が有線通信でアクセスしており、代理人端末１０及び参加人端末２０が無線通信でアクセスしている。なお、ネットワーク２とのアクセスは有線通信及び無線通信のどちらでもよい。
【００１９】
代理人端末１０は、旅行先にいる代理人によって持ち運ばれ、旅行先の映像を撮影する撮影装置である。本実施例では、代理人端末１０は、例えば代理人の頭上に装着され、代理人の前後左右と上下を含んだ動画像であるいわゆる３６０度映像（全方位画像、全天球画像ともいう）を撮影する。代理人端末１０は、自機が備えるマイクロフォンで音も録音し、撮影した３６０度映像とともに配信サーバ装置３０に送信する。
【００２０】
配信サーバ装置３０は、代理人端末１０によって撮影された旅行先の映像及び録音された音等を含む仮想旅行のコンテンツを参加人端末２０に配信する配信装置である。なお、コンテンツには映像だけが含まれていてもよい。配信サーバ装置３０は、３６０度映像のうち参加人端末２０から指定された範囲の映像を切り出し（つまり３６０度映像は１画面に収まらない大きさの映像である）、画質を変更してから配信する。
【００２１】
本実施例の３６０度映像は、指定範囲を切り出した状態で８Ｋ映像（横方向のピクセル数が８０００程度の映像）となる解像度の映像であるものとする。８Ｋ映像の動画像をそのまま配信するとデータ量が多すぎて通信に遅延が生じ、参加人端末２０の表示処理も遅くなり易い。そこで、配信サーバ装置３０は、切り出された映像のデータ量を減少させて（例えば２Ｋ映像に画質を変更して）から配信する。
【００２２】
この３６０度映像は、実際に配信される映像の元になる映像であり、本発明の「元映像」の一例である。配信サーバ装置３０は、この元映像である３６０度映像自体は配信しない。参加人端末２０は、配信サーバ装置３０によって配信されたコンテンツを出力する出力装置であり、例えば、コンテンツに含まれる映像を表示し、コンテンツに含まれる音を放音する。
【００２３】
本実施例では、参加人端末２０は、参加人の頭に装着するＨＭＤ（Head Mounted Display：ヘッドマウントディスプレイ）である。参加人端末２０は、自端末の正面が向いている方向（方位及び仰俯角）を測定し、測定した方向に対応する映像の範囲を配信サーバ装置３０に対して指定する。これにより、例えば参加人が東を向けば代理人端末１０の位置から東を向いた映像が配信され、参加人が上を向けば代理人端末１０の鉛直上方の映像が配信される。
【００２４】
図２は代理人端末１０のハードウェア構成を表す。代理人端末１０は、プロセッサ１１と、メモリ１２と、ストレージ１３と、通信装置１４と、入力装置１５と、出力装置１６と、３６０度カメラ１７と、センサ装置１８と、バス１９という各装置を備えるコンピュータである。なお、ここでいう「装置」という文言は、回路、デバイス及びユニット等に読み替えることができる。また、各装置は、１つ又は複数含まれていてもよいし、一部の装置が含まれていなくてもよい。
【００２５】
プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）で構成されてもよい。また、プロセッサ１１は、プログラム（プログラムコード）、ソフトウェアモジュール及びデータ等を、ストレージ１３及び／又は通信装置１４からメモリ１２に読み出し、これらに従って各種の処理を実行する。
【００２６】
各種処理を実行するプロセッサ１１は１つでもよいし、２以上であってもよく、２以上のプロセッサ１１は、同時又は逐次に各種処理を実行してもよい。また、プロセッサ１１は、１以上のチップで実装されてもよい。プログラムは、電気通信回線を介してネットワークから送信されてもよい。
【００２７】
メモリ１２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ１２は、レジスタ、キャッシュ及びメインメモリ（主記憶装置）等と呼ばれてもよい。メモリ１２は、前述したプログラム（プログラムコード）、ソフトウェアモジュール及びデータ等を保存することができる。
【００２８】
ストレージ１３は、コンピュータが読み取り可能な記録媒体であり、例えば、ＣＤ−ＲＯＭ（Compact Disc ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。
【００２９】
ストレージ１３は、補助記憶装置と呼ばれてもよい。上述の記憶媒体は、例えば、メモリ１２及び／又はストレージ１３を含むデータベース、サーバその他の適切な媒体であってもよい。通信装置１４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００３０】
入力装置１５は、外部からの入力を受け付ける入力デバイス（例えば、キーボード、マウス、スイッチ、ボタン、センサなど）である。また、入力装置１５は、自端末の周辺で発生して自端末に到達する音（周辺音）を収集するマイクロフォンを入力デバイスとして備えている。出力装置１６は、外部への出力を実施する出力デバイス（例えば、ディスプレイ、スピーカ、ＬＥＤランプなど）である。
【００３１】
３６０度カメラ１７は、上述した３６０度映像を撮影する撮影デバイスである。３６０度カメラ１７は、例えば２以上の広角カメラを備え、それらの広角カメラを異なる方向に向けて全ての方向を撮影範囲に収めることで３６０度映像を撮影する（なお、完全に全ての方向を撮影するものである必要はなく、例えば足元などに死角があってもよい）。センサ装置１８は、３６０度カメラ１７の向きを測定するセンサ（磁気センサ等）を備える。
【００３２】
３６０度カメラ１７には正面が定められており、センサ装置１８は、その正面が向いている方向（カメラの正面方向）の方位及び仰俯角を測定する。代理人が移動したり向きを変えたりするとカメラの正面方向の向きが変化するので、センサ装置１８がその向きを表す測定値を出力する。この測定値により、撮影された３６０度映像のうち、例えばどの部分が自端末から見て東向きの映像で、どの部分が自端末から見て鉛直上方向きの映像であるかといったことが分かるようになっている。
【００３３】
なお、センサ装置１８は３６０度カメラ１７に内蔵されていてもよい。また、入力装置１５が備えるマイクロフォンも３６０度カメラ１７に内蔵されていてもよい。プロセッサ１１及びメモリ１２等の各装置は、情報を通信するためのバス１９を介して互いにアクセス可能となっている。バス１９は、単一のバスで構成されてもよいし、装置間で異なるバスで構成されてもよい。
【００３４】
また、代理人端末１０等は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のハードウェアを含んで構成されてもよく、当該ハードウェアにより、各機能ブロックの一部又は全てが実現されてもよい。例えば、プロセッサ１１は、これらのハードウェアの少なくとも１つで実装されてもよい。
【００３５】
図３は参加人端末２０のハードウェア構成を表す。参加人端末２０は、プロセッサ２１と、メモリ２２と、ストレージ２３と、通信装置２４と、入力装置２５と、出力装置２６と、センサ装置２７と、バス２８という各装置を備えるコンピュータである。これらの装置は、図２に表す同名の装置と性能又は仕様等の違いはあるが同種の装置である。ただし、全てが同じではないので、図２の各装置と特に重要な相違点について説明する。
【００３６】
センサ装置２７は、自端末の正面方向の向きを測定するセンサ（磁気センサ等）を備え、その正面方向が向く方位及び仰俯角を測定する。また、本実施例の参加人端末２０はＨＭＤであるため、参加人が自分の手元を見なくても操作可能な入力装置２５を備える。入力装置２５は、例えば、筐体の外部に備えられたタッチパッドを備える。
【００３７】
また、入力装置２５は、参加人の目の辺りを撮影する撮像装置を備え、撮影した画像から参加人の視線を検知する検知機能を有している。この視線検知には周知の技術が用いられればよい。出力装置２６が操作子を表す操作子画像をディスプレイに表示している状態で表示された操作子画像に移動する視線を検知すると、入力装置２５は、その操作子画像が表す操作子に対する操作を受け付ける。
【００３８】
図４は配信サーバ装置３０のハードウェア構成を表す。配信サーバ装置３０は、プロセッサ３１と、メモリ３２と、ストレージ３３と、通信装置３４と、バス３５という各装置を備えるコンピュータである。これらの装置は、図２に表す同名の装置と性能又は仕様等の違いはあるが同種の装置である。
【００３９】
仮想旅行システム１が備える代理人端末１０、参加人端末２０及び配信サーバ装置３０には、本システムで提供されるプログラムが記憶されており、各装置のプロセッサがプログラムを実行して各部を制御することで以下に述べる機能群が実現される。
図５は仮想旅行システム１が実現する機能構成を表す。代理人端末１０は、映像撮影部１０１と、周辺音録音部１０２と、カメラ向き測定部１０３と、撮影データ送信部１０４とを備える。
【００４０】
参加人端末２０は、端末向き測定部２０１と、指定範囲決定部２０２と、コンテンツ出力部２０３と、撮影指示部２１１と、撮影映像表示部２１２とを備える。配信サーバ装置３０は、元データ取得部３０１と、映像切出部３０２と、指定範囲取得部３０３と、画質変更部３０４と、コンテンツ生成部３０５と、コンテンツデータ送信部３０６と、撮影映像抽出部３１１と、撮影映像保存部３１２とを備える。
【００４１】
仮想旅行システム１においては、配信サーバ装置３０が、参加人端末２０を識別する端末ＩＤ（Identification）と、その参加人端末２０に映像を配信する際の宛先情報（ＩＰ（Internet Protocol）アドレス等）を対応付けて記憶している。また、代理人端末１０及び参加人端末２０は、配信サーバ装置３０の宛先情報を記憶しており、必要に応じて配信サーバ装置３０とデータのやり取りを行えるようになっている。
【００４２】
代理人端末１０の映像撮影部１０１は、代理人の周囲の映像を撮影する。映像撮影部１０１は、本実施例では、図２に表す３６０度カメラ１７を制御して、３６０度映像（詳細には３６０度映像を連続させた動画像）を撮影する。映像撮影部１０１は、仮想旅行サービスの提供期間（定められたサービス開始時刻からサービス終了時刻までの期間）の間、３６０度映像を連続して撮影しながら、並行して、撮影した３６０度映像を撮影データ送信部１０４に供給する。
【００４３】
周辺音録音部１０２は、図２に表す入力装置１５が備えるマイクロフォンを制御して、上述した周辺音（自端末の周辺で発生して自端末に到達する音）を録音する。周辺音録音部１０２は、仮想旅行サービスの提供期間の間、周辺音を録音しながら、並行して、録音した周辺音を撮影データ送信部１０４に供給する。
【００４４】
カメラ向き測定部１０３は、図２に表すセンサ装置１８を制御して、３６０度カメラ１７について定められた正面が向いている方位及び仰俯角を測定する。これらの方位及び仰俯角は、３６０度カメラ１７の正面の向きを示す情報であり、以下では「カメラ向き情報」という。カメラ向き測定部１０３は、仮想旅行サービスの提供期間の間、このカメラ向き情報（方位及び仰俯角）の測定を繰り返し行い、並行して、測定したカメラ向き情報を撮影データ送信部１０４に繰り返し供給する。
【００４５】
撮影データ送信部１０４は、自端末が撮影した映像に関するデータである撮影データを配信サーバ装置３０に送信する。具体的には、撮影データ送信部１０４は、映像撮影部１０１から供給された３６０度映像と、周辺音録音部１０２から供給された周辺音と、カメラ向き測定部１０３から供給されたカメラ向き情報と、３６０度映像に含まれる各フレーム（１枚１枚は静止画像であり、連続再生されることで動画像を表す映像）の撮影時刻とを示すデータを撮影データとして生成し、配信サーバ装置３０に送信する。
【００４６】
配信サーバ装置３０の元データ取得部３０１は、自装置が配信するコンテンツ（仮想旅行のコンテンツ）の元になるデータ（元データ）を取得する。元データとは、代理人端末１０から送信されてくる撮影データである。元データ取得部３０１は、代理人端末１０から送信されてくる撮影データをコンテンツの元データとして取得することで、その撮影データに含まれる映像データ、すなわち代理人端末１０により撮影されて自装置により配信される映像（本実施例では３６０度映像）を示す映像データを取得する。
【００４７】
また、元データ取得部３０１は、撮影データを取得することで、その撮影データに含まれる音データ、すなわち代理人端末１０に到達する音（周辺音）を示す音データを取得する。元データ取得部３０１は、撮影データをコンテンツの元データとして取得する度に、取得した元データを映像切出部３０２に供給する。映像切出部３０２は、供給された元データが示す３６０度映像から、参加人端末２０によって指定された範囲の映像を切り出す切出処理を行う。切出処理は、本発明の元映像（本実施例では３６０度映像）のデータ量を減少させる処理の一例である。
【００４８】
範囲の指定は次のように行われる。参加人端末２０の端末向き測定部２０１は、自端末の向きを示す情報（以下「端末向き情報」という）として、自端末について定められた正面が向く方位及び仰俯角を測定する。端末向き測定部２０１は、端末向き情報を一定時間の間隔で繰り返し測定し、測定した端末向き情報を指定範囲決定部２０２に繰り返し供給する。
【００４９】
指定範囲決定部２０２は、端末向き測定部２０１により測定された端末向き情報に基づいて、自端末に表示させる映像の範囲として指定する指定範囲を決定する。指定範囲決定部２０２は、例えば、供給された端末向き情報が示す向きを所定の画角（例えば縦２５度、横４５度など）を有するカメラで撮影した場合の映像の範囲を指定範囲として決定する。
【００５０】
図６は指定範囲の例を表す。図６では、映像撮影部１０１により撮影された３６０度映像Ａ１が表されている。３６０度映像Ａ１は、３６０度カメラ１７が真北を向いて傾きが０度の状態（カメラの正面方向を水平に向けた状態）で撮影した映像である。そのため、３６０度映像Ａ１では、水平線が映像の縦方向の中央（０度）に位置し、真北の方位が映像の横方向の中央に位置している。映像の上辺は３６０度カメラ１７から見て鉛直上方（９０度）の映像を表し、映像の下辺は３６０度カメラ１７から見て鉛直下方（−９０度）の映像を表している。
【００５１】
例えば指定範囲決定部２０２が、北向き且つ仰角２０度を撮影した映像の範囲を指定範囲として決定した場合、３６０度映像Ａ１における北向き且つ仰角２０度の位置を示す撮影方向Ｂ１を中心とした指定範囲Ｃ１が決定されたことになる。また、指定範囲決定部２０２が、南東向き且つ俯角４５度を撮影した映像の範囲を指定範囲として決定した場合、３６０度映像Ａ１における南東向き且つ俯角４５度の位置を示す撮影方向Ｂ２を中心とした指定範囲Ｃ２が決定されたことになる。
【００５２】
指定範囲決定部２０２は、決定した指定範囲を示す範囲情報として、撮影方向を示す方位及び仰俯角と、画角と、自端末の端末ＩＤとを示す情報を生成して配信サーバ装置３０に送信する。配信サーバ装置３０の指定範囲取得部３０３は、送信されてきた範囲情報を受け取ることで、その範囲情報が示す端末ＩＤにより識別される参加人端末２０によって指定された映像の範囲、すなわち指定範囲を取得する。指定範囲取得部３０３は、取得した指定範囲を示す範囲情報を端末ＩＤと共に映像切出部３０２に供給する。
【００５３】
映像切出部３０２は、元データ取得部３０１からコンテンツの元データが供給されると、供給された元データが示す３６０度映像から、指定範囲取得部３０３から供給された範囲情報が示す指定範囲の映像（図６の例では指定範囲Ｃ１の映像又は指定範囲Ｃ２の映像）を切り出す。なお、３６０度カメラ１７の正面が水平方向に対して傾いていると、図６に表す３６０度映像Ａ１が縦方向にずれた映像になる（水平線が縦方向にずれる）。
【００５４】
映像切出部３０２は、例えば、元データに含まれるカメラ向き情報が示す正面の向きに基づいてこの傾きを補正して３６０度映像Ａ１のような映像にしてから指定範囲の映像を切り出す。この補正には、ＶＲ（Virtual Reality）又はＡＲ（Augmented Reality）等で用いられている周知の技術が用いられればよい。なお、映像切出部３０２は、３６０度映像を補正するのではなく、傾いた３６０度映像における方位及び仰俯角に対応した位置を算出して指定範囲の映像を切り出してもよい。
【００５５】
映像切出部３０２は、こうして切り出した映像を元の映像（３６０度映像）の撮影時刻と共に示す映像データを、範囲情報及び元データと共に画質変更部３０４に供給する。また、映像切出部３０２は、本実施例では、画質変更部３０４に供給した映像を、配信先の参加人端末２０（範囲情報を送信してきた参加人端末２０）の端末ＩＤに対応付けて一定時間（例えば１分間程度）記憶しているものとする。この映像は、配信された映像を撮影する処理（詳しくは後述する）において用いられる。
【００５６】
画質変更部３０４は、映像切出部３０２により切り出された映像の画質を変更する画質変更処理を行う。画質変更部３０４は、本実施例では映像のピクセル数を減少させて（例えば８Ｋ映像から２Ｋ映像に減少させて）画質を落とすように変更する画質変更処理を行う。画質変更処理は、本発明の元映像（本実施例では３６０度映像）のデータ量を減少させる処理の一例である。
【００５７】
画質変更部３０４は、こうして画質を変更した映像を元の映像（３６０度映像）の撮影時刻と共に示す映像データを、範囲情報及び元データと共にコンテンツ生成部３０５に供給する。コンテンツ生成部３０５は、自装置が参加人端末２０に対して配信するコンテンツを生成する機能である。コンテンツ生成部３０５は、例えば、画質変更部３０４から供給された映像、すなわち参加人端末２０から指定された範囲で切り出されて画質が変更された映像と、元データが示す周辺音とを示すコンテンツを生成する。
【００５８】
コンテンツ生成部３０５は、生成したコンテンツと、コンテンツに含まれる映像の元の映像（３６０度映像）の撮影時刻と、供給された範囲情報が示す端末ＩＤとを示すコンテンツデータを生成する。コンテンツ生成部３０５は、生成したコンテンツデータをコンテンツデータ送信部３０６に供給する。コンテンツデータ送信部３０６は、コンテンツ生成部３０５から供給されたコンテンツデータを、そのコンテンツデータが示す端末ＩＤにより識別される参加人端末２０に送信する。
【００５９】
映像切出部３０２、指定範囲取得部３０３、画質変更部３０４、コンテンツ生成部３０５及びコンテンツデータ送信部３０６は、以上のとおり、元映像（３６０度映像）のデータ量を減少させる処理（切出処理及び画質変更処理）を行い、それらの処理と並行してそれらの処理で得られた映像を配信する映像配信部３０７として機能する。映像配信部３０７は本発明の「配信部」の一例である。
【００６０】
ここでいう「並行」は、先に行われる処理（データ量を減少させる処理）とその処理の結果を受けて後から行われる処理（映像の配信処理）との間に時間的な隔たりがあっても構わない。例えば撮影された映像をリアルタイムで配信する場合、この隔たりは小さいほど望ましいが、完全に０にする必要もない。どちらの処理も開始から終了までに時間を要する処理であるから、少なくとも、先に行われる処理が実行されている間に、後から行われる処理が開始されていれば、並行して行われているものとする。
【００６１】
参加人端末２０のコンテンツ出力部２０３は、配信サーバ装置３０から送信されてきたコンテンツデータが示すコンテンツを出力する。具体的には、コンテンツ出力部２０３は、コンテンツデータが示す映像を出力装置２６のディスプレイに出力して表示させ、コンテンツデータが示す周辺音を出力装置２６のスピーカに出力して放音させる。参加人端末２０を装着した参加人は、こうして出力されたコンテンツを視聴する。
【００６２】
コンテンツの視聴とは、表示されたコンテンツの映像を見て、放音されたコンテンツの音を聞くことである。なお、音が含まれていない映像だけのコンテンツを見る場合でも「コンテンツの視聴」と言うものとする。
図７は表示された映像の一例を表す。図７の例では、コンテンツ出力部２０３は、コンテンツデータが示す映像Ｄ１を表示させると共に、撮影ボタンＥ１を表示させている。
【００６３】
この映像Ｄ１は、実際には動画像の映像である。撮影ボタンＥ１は、操作されたときに表示されている映像を静止画像として保存させることで、その映像を写真のように撮影するための操作子である。この撮影ボタンＥ１に対する撮影操作は、配信される映像（多数のフレームからなる動画像）の一部（１枚のフレームからなる静止画像）を指定する操作とも言える。
【００６４】
このように配信される映像から指定された一部のことを以下では「指定部分」という。コンテンツ出力部２０３は、撮影ボタンＥ１を押す撮影操作が行われると、この撮影操作が行われたときに表示していた映像のフレームに対応する元の映像（前述した切出処理及び画質変更処理が行われる前の映像である３６０度映像）のフレームの撮影時刻を撮影指示部２１１に通知する。
【００６５】
撮影指示部２１１は、コンテンツ出力部２０３からの通知を受け取ると、すなわち表示されている映像を撮影する撮影操作がユーザによって行われると、表示された映像を撮影するための処理を行うよう配信サーバ装置３０に指示する。撮影指示部２１１は、具体的には、撮影を指示する指示データとして、自端末の端末ＩＤ及び通知された３６０度映像の撮影時刻を示すデータを配信サーバ装置３０に送信することで撮影の指示を行う。これらの情報（端末ＩＤ及び撮影時刻）は指定部分を特定するための情報である。
【００６６】
送信された指示データは配信サーバ装置３０の撮影映像抽出部３１１に供給される。撮影映像抽出部３１１は、この指示データが供給された場合、すなわち、映像配信部３０７により配信された映像の一部が指定された場合に、配信された映像の元映像（本実施例では３６０度映像）のうちのその一部に対応する部分を撮影映像（上記の撮影操作により撮影される映像）として抽出する。撮影映像抽出部３１１は本発明の「抽出部」の一例である。
【００６７】
撮影映像抽出部３１１は、映像切出部３０２に対して、供給された指示データが示す端末ＩＤに対応付けて記憶している映像（多数のフレームからなる動画像）のうちからその指示データが示す撮影時刻の映像（１枚のフレームからなる静止画像）を要求する。映像切出部３０２が要求された映像を供給することで、撮影映像抽出部３１１は、３６０度映像のうち指定部分に対応する部分を撮影映像として抽出する。
【００６８】
この場合の指定部分に対応する部分は、元の映像である３６０度映像の撮影時刻が同じ映像であるだけでなく、その３６０度映像から切り出されるときの範囲も同じ映像である。撮影映像抽出部３１１は、こうして抽出した撮影映像を、撮影操作が行われた参加人端末２０の端末ＩＤに対応付けて撮影映像保存部３１２に供給する。撮影映像保存部３１２は、供給された撮影映像、すなわち、撮影映像抽出部３１１により抽出された撮影映像を、共に供給された端末ＩＤに対応付けて保存する。
【００６９】
参加人端末２０の撮影映像表示部２１２は、撮影映像保存部３１２に保存された撮影映像、すなわち上記の撮影操作により撮影された映像（撮影映像抽出部３１１により抽出された映像）を表示する。撮影映像表示部２１２は、例えば、配信サーバ装置３０に対して、自端末の端末ＩＤと、自端末で行われた撮影操作により撮影された映像の一覧を要求することを示す要求データを送信する。
【００７０】
撮影映像保存部３１２は、要求データが示す要求元の参加人端末２０の端末ＩＤに対応付けて保存している映像のサムネイル画像の一覧を生成して参加人端末２０に送信する。撮影映像表示部２１２がこの一覧を表示して、ユーザがいずれかのサムネイル画像を選択すると、撮影映像表示部２１２が選択されたサムネイル画像の元の撮影映像を要求する。
【００７１】
撮影映像保存部３１２が要求された撮影映像を送信することで、撮影映像表示部２１２は撮影された映像を表示する。撮影映像保存部３１２が行う上記保存処理及び送信処理は、撮影映像抽出部３１１により抽出された映像をユーザに提供するための処理である。撮影映像保存部３１２は本発明の「処理部」の一例である。
【００７２】
仮想旅行システム１が備える各装置は、上記の構成に基づいて、配信された映像の一部を撮影する撮影処理を行う。
図８は撮影処理における各装置の動作手順の一例を表す。この動作手順は、例えば、仮想旅行サービスの開始時刻になることを契機に開始される。まず、代理人端末１０（映像撮影部１０１、周辺音録音部１０２、カメラ向き測定部１０３）は、代理人の周囲の３６０度映像（ライブ映像）の撮影と、周辺音の録音と、カメラ向き情報の測定とを行う（ステップＳ１１）。
【００７３】
次に、代理人端末１０（撮影データ送信部１０４）は、ステップＳ１１の各動作で得られる撮影データを配信サーバ装置３０に送信する（ステップＳ１２）。配信サーバ装置３０（元データ取得部３０１）は、送信されてくる撮影データを、自装置が配信するコンテンツの元データとして取得する（ステップＳ１３）。次に、参加人端末２０（端末向き測定部２０１）は、自端末の向きを示す情報（端末向き情報）を測定する（ステップＳ２１）。
【００７４】
続いて、参加人端末２０（指定範囲決定部２０２）は、測定された端末向き情報に基づいて、自端末に表示させる映像の指定範囲を決定し（ステップＳ２２）、決定した指定範囲を示す範囲情報を配信サーバ装置３０に送信する（ステップＳ２３）。配信サーバ装置３０（指定範囲取得部３０３）は、送信されてきた範囲情報を受け取ることで指定範囲を取得する（ステップＳ２４）。
【００７５】
次に、配信サーバ装置３０（映像切出部３０２）は、ステップＳ１３で取得された元データが示す３６０度映像から、取得された指定範囲の映像を切り出す（ステップＳ２５）。続いて、配信サーバ装置３０（コンテンツ生成部３０５）は、切り出された映像を含むコンテンツを生成する（ステップＳ２６）。次に、配信サーバ装置３０（コンテンツデータ送信部３０６）は、生成されたコンテンツを示すコンテンツデータを参加人端末２０に送信する（ステップＳ２７）。
【００７６】
参加人端末２０（コンテンツ出力部２０３）は、ステップＳ２７で送信されてきたコンテンツデータが示すコンテンツを出力する（ステップＳ２８）。このとき、参加人端末２０（コンテンツ出力部２０３）は、図７に表すような撮影ボタンを共に表示して、この撮影ボタンを選択する操作をユーザが行うと、その操作を撮影操作（配信される映像の一部を指定する操作）として受け付ける（ステップＳ３１）。
【００７７】
次に、参加人端末２０（撮影指示部２１１）は、指定部分を示す指示データを生成し（ステップＳ３２）、生成した指示データを配信サーバ装置３０に送信する（ステップＳ３３）。配信サーバ装置３０（撮影映像抽出部３１１）は、元映像のうちステップＳ３３で送信されてきた指示データが示す指定部分に対応する部分を撮影映像として抽出する（ステップＳ３４）。次に、配信サーバ装置３０（撮影映像保存部３１２）は、ステップＳ３４で抽出された撮影映像を保存する（ステップＳ３５）。
【００７８】
この後、参加人端末２０に対して撮影映像を表示させる表示操作が行われると、参加人端末２０（撮影映像表示部２１２）は、この表示操作を受け付け（ステップＳ４１）、撮影映像を要求する要求データを配信サーバ装置３０に送信する（ステップＳ４２）。配信サーバ装置３０（撮影映像保存部３１２）は、ステップＳ４２で送信されてきた要求データが示す撮影映像を読み出して参加人端末２０に送信する（ステップＳ４３）。参加人端末２０（撮影映像表示部２１２）は、送信されてきた撮影映像を表示する（ステップＳ４４）。
【００７９】
本実施例では、撮影された元映像（３６０度映像）に対してデータ量を減少させる処理（切出処理及び画質変更処理）が行われてから配信される。これにより、元映像をそのまま配信する場合に比べて、映像配信における遅延が生じにくいようにしている。一方で、データ量を減少させることで、参加人端末２０に表示される映像（配信された映像）は、元映像よりも画質が低い映像になる。
【００８０】
しかし、上記の撮影操作が行われた場合には、配信された映像（配信映像）の一部が抽出されるのではなく、元映像のうちその一部に対応する部分が抽出される。これにより、本実施例では、映像を配信するサービスにおいて、配信映像（データ量が減少されて元映像よりも画質が低下した映像）から映像が抽出される場合に比べて、配信映像の一部をより高い画質で提供することができる。
【００８１】
［２］変形例
上述した実施例は本発明の実施の一例に過ぎず、以下のように変形させてもよい。
【００８２】
［２−１］過去の元映像
実施例では現在撮影されている映像（リアルタイム映像）の一部が撮影されたが、過去に撮影された映像の一部が撮影されてもよい。
図９は本変形例で実現される全体構成を表す。図９では、図５に表す各部に加えて元データ蓄積部３１３を備える配信サーバ装置３０ａが表されている。
【００８３】
元データ蓄積部３１３には、元データ取得部３０１から取得された元データが供給される。元データ蓄積部３１３は、供給された元データを記憶することで、代理人端末１０により過去に撮影された映像を示す映像データを蓄積する。元データ蓄積部３１３は本発明の「蓄積部」の一例である。元データ蓄積部３１３には、蓄積した元データに基づき生成されたコンテンツを識別するコンテンツＩＤがコンテンツ生成部３０５から供給される。元データ蓄積部３１３は、コンテンツＩＤを対応付けて元データを蓄積する。
【００８４】
コンテンツ生成部３０５は、元データ蓄積部３１３に蓄積されている元データが示す映像を用いて、過去映像の一覧を示すメニューコンテンツを生成する。生成されたメニューコンテンツは参加人端末２０で出力される。
図１０は表示されたメニューコンテンツの一例を表す。図１０の例では、「ローマ旅行」、「パリ旅行」及び「北京旅行」等のコンテンツの一覧と、視聴ボタンＥ２とを含む映像Ｄ２が表示されている。
【００８５】
ユーザがコンテンツを選んで視聴ボタンＥ２を押す操作を行うと、参加人端末２０の指定範囲決定部２０２が、選択されたコンテンツを示すコンテンツＩＤと共に範囲情報を配信サーバ装置３０ａに送信する。配信サーバ装置３０ａの指定範囲取得部３０３は、範囲情報を端末ＩＤ及びコンテンツＩＤと共に映像切出部３０２に供給する。映像切出部３０２は、供給されたコンテンツＩＤに対応付けて元データ蓄積部３１３に蓄積されている元データを読み出し、読み出した元データから指定範囲の映像を切り出す。
【００８６】
映像配信部３０７は、こうして切り出した映像を配信することで、過去に撮影された映像を元映像として配信を行う。この場合も、映像配信部３０７は、実施例で述べたとおり、元映像のデータ量を減少させる処理で得られた映像であり、且つ、選択された範囲の映像を配信する。その結果、元映像が撮影されたときの配信（リアルタイム配信）と過去に撮影された映像を元映像とする配信とで異なる範囲が選択された場合は、映像配信部３０７は、それらの異なる範囲の映像をそれぞれ配信する。
【００８７】
これにより、ユーザは、リアルタイム配信では見ることができなかった映像（リアルタイム配信時とは異なる方向の映像）を見ることができる。撮影映像抽出部３１１は、配信された過去の映像に対して実施例と同様に撮影操作が行われた場合、すなわち、過去に撮影された映像を元映像とした配信がされてその一部が指定された場合に、元映像のうち指定部分に対応する部分を抽出する。
【００８８】
これにより、ユーザは、例えばリアルタイム配信時には撮影することができなかった映像を撮影することができる。また、そもそもリアルタイム配信の映像を見ていなかったとしても、その映像において気に入った映像を撮影することができる。さらに、気に入った映像があっても撮影操作を上手く行えずに撮影をし損ねた場合でも、再度映像を見直してその映像を撮影することができる。
【００８９】
また、映像配信部３０７は、過去に撮影された映像を元映像として配信を行う際に、映像の一時停止、早送り及び早戻し等が可能な配信を行ってもよい。
図１１は本変形例で表示された操作子画像の一例を表す。図１１の例では、参加人端末２０のコンテンツ出力部２０３が、映像Ｄ１と共に、撮影ボタンＥ１及び再生操作ボタンＥ３を操作子画像として表示させている。再生操作ボタンＥ３には、再生ボタン、一時停止ボタン、早送りボタン及び早戻しボタンが含まれている。
【００９０】
映像配信部３０７は、これらのボタンを押す操作が行われると、それぞれ対応する方法で表示される映像を配信する。なお、再生操作ボタンには、スロー再生ボタン及びスロー戻しボタン（時間を遡ってゆっくり映像を再生するための操作子画像）が含まれていてもよい。これにより、ユーザは、気に入った映像を撮影し損ねても、早戻し操作を行って再度撮影を行うことができるし、早送り操作を行って気に入った映像が早く表示されるようにすることもできる。
【００９１】
なお、上記の例では過去に撮影された映像の配信も、撮影映像の抽出も、元データ蓄積部３１３に蓄積されている映像データを用いて行われた。配信処理及び抽出処理では映像データを更新するわけではないので、このように同時に参照可能としてもよい。ただし、それでは特に配信処理の速度が低下するおそれがあるので、映像データの参照先を分けてもよい。
【００９２】
図１２は本変形例で実現される全体構成の別の例を表す。図１２では、図９に表す各部に加えて第２元データ蓄積部３１４を備える配信サーバ装置３０ｂが表されている。第２元データ蓄積部３１４は、元データ蓄積部３１３に蓄積されている元データと同じデータを蓄積する。このように元データを２重に蓄積するようにしておいて、例えば、映像配信部３０７が、過去に撮影された映像の配信では、元データ蓄積部３１３に蓄積された映像データを用いる。
【００９３】
また、撮影映像抽出部３１１は、第２元データ蓄積部３１４に蓄積された映像データを用いて撮影映像を抽出する。これにより、配信処理及び抽出処理で映像データを共有する場合に比べて、それらの処理の速度（特に配信処理の速度）が遅くなることを防ぐことができる。
【００９４】
［２−２］蓄積対象の選別
上記の例で元データを全て蓄積するとデータ量が膨大になる。そこで、蓄積する元データが選別されてもよい。本変形例では、元データ蓄積部３１３が、過去に撮影された映像のうち、上記の撮影操作により指定された一部に対応する部分が代理人端末１０により撮影されたときを含む所定の期間の映像を示す元データを蓄積する。
【００９５】
元データ蓄積部３１３は、まずは、元データ取得部３０１から供給された元データをそのまま記憶する。本変形例では、撮影映像抽出部３１１が、映像を抽出すると、その映像の撮影時刻を元データ蓄積部３１３に通知する。元データ蓄積部３１３は、通知された撮影時刻の前後の所定の期間（例えば１分間又は５分間等）の映像を示す部分を残して、それ以前の元データを削除する。元データの削除は、配信と並行して行われてもよいし、配信が終了してからまとめて行われてもよい。
【００９６】
映像配信部３０７は、こうして蓄積された元映像（削除されずに残された元映像）だけを過去に撮影された映像を元映像として配信を行う。本変形例では、上記のとおり元映像を蓄積することで、元映像を全て蓄積する場合に比べて、元映像を蓄積するための記憶容量を少なくすることができる。一方で、蓄積された元映像は、ユーザにより撮影された映像の前後の期間の映像が含まれている。ユーザが撮影する映像は、他の映像に比べて見る価値が高い映像であることが多いので、撮影タイミングと関係なく蓄積する映像を選択する場合に比べて、見る価値が高い映像を再び配信することができる。
【００９７】
［２−３］選択範囲の拡縮
ユーザが選択する範囲の拡大（ズームアウト）及び縮小（ズームイン）が可能であってもよい。この場合、指定範囲決定部２０２は、ユーザによるズームアウト操作を受け付けると拡大した範囲を選択範囲として決定し、ズームイン操作を受け付けると縮小した範囲を選択範囲として決定する。これにより、ユーザは、広い範囲の映像を視聴したり、よく見たい範囲を拡大した映像を視聴することができる。
【００９８】
［２−４］視野の固定
映像配信部３０７は、１画面に収まらない大きさの映像である３６０度映像から、ユーザによって選択された範囲の映像を配信する。実施例では、参加人端末２０の向きに応じて映像の表示範囲が選択されたが、表示範囲の選択方法はこれに限らない。
【００９９】
実施例で述べた参加人端末２０の向きに応じた映像は、その参加人端末２０を利用するユーザ（参加人）の目が向いている方向の映像、すなわち、そのユーザの視野を示す範囲の映像である。映像配信部３０７は、通常はこのユーザの視野を示す範囲を選択された範囲として映像を配信し、所定の操作が行われると、その視野が固定された映像を配信してもよい。
【０１００】
図１３は本変形例で表示された操作子画像の例を表す。図１３（ａ）の例では、参加人端末２０のコンテンツ出力部２０３が、映像Ｄ１と共に、撮影ボタンＥ１及び視野固定ボタンＥ４を操作子画像として表示させている。映像配信部３０７は、視野固定ボタンＥ４を押す操作が行われると、参加人端末２０から送信されてくる範囲情報（指定範囲を示す情報）を受け取っても、その範囲情報を破棄し、最後に受け取った範囲情報が示す範囲の映像を配信する。
【０１０１】
視野の固定方法には２通りある。１つ目は、範囲情報が示す方位（東西南北）を固定する方法である。この場合、例えば北向きの映像を選択する状態で視野が固定されると、北向きの映像が配信され続ける。２つ目は、代理人端末１０の正面に対する向きを固定する方法である。この場合、例えば代理人端末１０の正面に対して９０度右向きの映像を選択する状態で視野が固定されると、代理人端末１０の正面に対して９０度右向きの映像が配信され続ける。
【０１０２】
例えば代理人の現在地から見てどちらかの方位に見たい景色が広がっている場合に、１つ目の方法で視野を固定することで、代理人端末１０の向き（代理人の向き）にかかわらずその景色を視聴し続けることができる。また、例えば代理人の進行方向の右手でパレード等のイベントが行われている場合に、２つ目の方法で視野を固定することで、そのイベントを視聴し続けることができる。
【０１０３】
なお、視野を固定したまま、上述した選択範囲の拡大（ズームアウト）及び縮小（ズームイン）が行われてもよい。また、視野の固定を解除したい場合は、図１３（ｂ）に表すように固定解除ボタンＥ５を押す操作を行えばよい。この操作が行われると、映像配信部３０７は、参加人端末２０から送信されてくる範囲情報（指定範囲を示す情報）が示す範囲の映像の配信を再開する。
【０１０４】
［２−５］別ユーザの視野
表示範囲の選択方法は上記のものに限らない。例えば、別ユーザが見ている視野が選択されてもよい。本変形例では、映像配信部３０７が、元映像のうち配信先のユーザとは異なるユーザが選択した範囲の映像を配信する。この場合、参加人端末２０のコンテンツ出力部２０３が、視野の切り替え用の操作子画像を表示する。
【０１０５】
図１４は本変形例で表示された操作子画像の例を表す。図１４（ａ）の例では、コンテンツ出力部２０３が、或る代理人端末１０が撮影した映像Ｄ３と共に、撮影ボタンＥ１及び視野切替ボタンＥ６を操作子画像として表示させている。視野切替ボタンＥ６には、「ユーザα」という切替先の視野を選択しているユーザ名が表されている。この切替先の視野を選択しているユーザはランダムで選ばれてもよいし、自動的に又はユーザの操作により順次切り替えられるようになっていてもよい。
【０１０６】
映像配信部３０７は、視野切替ボタンＥ６を押す操作が行われると、切替先のユーザの参加人端末２０から送信されてくる範囲情報（指定範囲を示す情報）が示す範囲の映像を、切替操作が行われた参加人端末２０に配信する。図１４（ｂ）は、こうして配信された切替後の映像Ｄ４が表されている。映像Ｄ４は、映像Ｄ３とは異なる代理人端末１０で撮影された映像である。
【０１０７】
この例では切替元及び切替先の参加人端末２０で視聴されている映像を撮影する代理人端末１０が異なっているが、同じであってもよい。同じ代理人端末１０が撮影した映像であっても、ユーザによって視聴する範囲が異なっていれば、配信される映像が変化することになる。コンテンツ出力部２０３は、切替後の映像に切替を解除する解除ボタンＥ７を表示させている。
【０１０８】
解除ボタンＥ７を押す操作が行われると、映像配信部３０７は、切替元の参加人端末２０から送信されてくる範囲情報が示す範囲の映像の配信を再開する。本変形例では、切替操作により別のユーザが選択した範囲の映像が配信されるので、同じ視野の映像を視聴する体験を別のユーザと共有することができる。また、別のユーザが過去に視聴した映像をそのまま視聴して追体験をすることができる。
【０１０９】
また、別のユーザの視聴内容を見ることで、そのユーザが興味を持った点を把握するのに役立てることができる。例えば子供を仮想旅行サービスに参加させた親が、後から子供が視聴した内容を確認して、現在の興味及び趣向を把握するのに役立てることができる。
【０１１０】
なお、本変形例でいう別ユーザには、自分とは別人であるユーザに加えて、過去の自分（配信サーバ装置が視聴単位でユーザを把握すれば、過去の自分は、現在映像を視聴しているユーザとは別のユーザとして把握される）も含まれるものとする。この場合、映像配信部３０７は、元映像のうち現在の配信先のユーザとは異なるユーザ（別ユーザ又は過去の自分）が選択した範囲の映像を配信する。これにより、ユーザは、過去に自分が視聴した映像を視聴して過去の体験を思い出すことができる。
【０１１１】
［２−６］過去の視聴対象
表示範囲の選択方法は上記のものに限らない。例えば、ユーザが過去に視聴してきた対象と同じ属性の対象が映っている表示範囲が選択されてもよい。ここでいう対象の属性とは、例えば、遺跡、美術館及び公園等の建造物としての属性の他、電車、車及び自転車等の乗り物としての属性などである。また、対象を店舗にした場合、その店舗で販売している商品及びサービスの種類（服、酒及び土産物等）が属性として用いられてもよい。
【０１１２】
図１５は本変形例で実現される全体構成を表す。図１５では、図９に表す各部に加えて属性検出部３１５を備える配信サーバ装置３０ｃが表されている。属性検出部３１５は、ユーザによって過去に選択された範囲の映像に映っている対象の属性を検出する。属性検出部３１５は本発明の「検出部」の一例である。映像切出部３０２は、映像を切り出す度に、切り出した映像の配信先の参加人端末２０の端末ＩＤ及び切り出した映像を示す映像データを属性検出部３１５に供給する。
【０１１３】
属性検出部３１５は、例えば予め映像に映る可能性がある対象候補のパターン画像をその対象候補の属性に対応付けて記憶しておく。属性検出部３１５は、周知のパターン認識技術を用いて、供給された映像データが示す映像に含まれる対象を認識する認識処理を行い、対象候補のパターン画像と合致する部分が映像内で認識された場合、その対象候補に対応付けて記憶している属性を映像に映っている対象の属性として検出する。属性検出部３１５は、検出した属性を配信先の参加人端末２０の端末ＩＤに対応付けた配信先属性情報を指定範囲取得部３０３に供給する。
【０１１４】
また、映像切出部３０２は、元データ取得部３０１又は元データ蓄積部３１３から元データが供給されると、その元データを属性検出部３１５に供給する。属性検出部３１５は、供給された元データが示す元映像（３６０度映像）に映っている対象の属性を上記同様に検出する。属性検出部３１５は、検出した対象の属性をその対象の表示位置に対応付けた属性位置情報を指定範囲取得部３０３に供給する。
【０１１５】
指定範囲取得部３０３は、供給された配信先属性情報が示す属性の対象が映っている範囲を供給された属性位置情報に基づいて特定し、特定したその範囲を指定範囲として取得する。例えば配信先属性情報が「遺跡」という属性を示している場合、指定範囲取得部３０３は、元映像において「遺跡」という属性の対象が映っている範囲を特定してその範囲を指定範囲として取得する。
【０１１６】
映像配信部３０７は、こうして取得された指定範囲の映像を、属性に対応付けられた端末ＩＤの参加人端末２０に配信することで、元映像のうち、属性検出部３１５により検出された属性を有する対象が映っている範囲の映像を配信する。この配信は、例えば過去の視聴対象と属性が共通する対象を追尾して表示する追尾モードをユーザが選択した場合に行われる。
【０１１７】
これにより、ユーザは、自分がよく視聴する映像に映っている対象と属性が共通する対象を３６０度映像の中から自分で探さなくても、その対象が映った映像を視聴することができる。なお、対象の属性の検出方法は上記方法に限らない。例えば、代理人端末１０がＧＰＳ等の測位センサを備えていて撮影位置を示す撮影データを配信サーバ装置３０に送信する。
【０１１８】
属性検出部３１５は、撮影場所の周辺に存在する対象の位置と各対象の属性を表す属性情報を記憶しておき、取得された撮影データが示す撮影位置との距離が閾値未満の対象の属性を検出する。また、属性検出部３１５は、撮影位置に加えて撮影方向を参照し、撮影位置の撮影方向側に存在する対象の属性を検出してもよい。この方法によれば、映像に映っていない対象でも属性を検出することができる。
【０１１９】
また、指定範囲取得部３０３は、配信先属性情報が示す属性の対象が３６０度映像に含まれなくなると、追尾を解除し（ユーザによる指定範囲の取得に戻し）、その対象が３６０度映像に再び含まれるようになると、追尾を再開する（配信先属性情報が示す属性の対象が映っている範囲を特定する）。なお、追尾の再開は自動的に行われてもよいし、ユーザに再開の可否を選択させて再開を指示する操作が行われた場合に追尾を再開させてもよい。
【０１２０】
また、属性検出部３１５による複数の属性が検出される場合は、それらの属性に優先順位が付与されてもよい（例えば検出された回数が多い属性ほど優先順位を高くする）。その場合、指定範囲取得部３０３は、配信先属性情報が示す属性のうち、３６０度映像に対象が映っていて且つ優先順位が最も高い属性の対象が映っている範囲を特定して指定範囲として取得する。これにより、優先順位が高い属性の対象ほどよく映る映像を配信させることができる。
【０１２１】
［２−７］特定の視聴対象
上記追尾モードでは、過去の視聴対象と属性が共通する対象を映す映像が配信されたが、例えばユーザが選択した特定の視聴対象と属性が共通する対象を映す映像が配信されてもよい。本変形例では、ユーザが追尾モードを選択する際に、追尾したい対象の属性を選択する。
【０１２２】
指定範囲取得部３０３は、選択された属性を、選択したユーザの参加人端末２０（配信先の参加人端末２０）の端末ＩＤに対応付けた情報を上記変形例における配信先属性情報として取得する。後は上記変形例同様の動作が行われることで、映像配信部３０７は、特定の対象の属性が選択された場合に、元映像のうち、選択された属性を有する対象が映っている範囲の映像を配信する。これにより、ユーザは、自分が選択した属性を有する対象を３６０度映像の中から自分で探さなくても、その対象が映った映像を視聴することができる。
【０１２３】
なお、ユーザが選択する属性として、映像配信部３０７により配信された映像に映る対象のうちユーザ操作により選択された対象であること、という属性が用いられてもよい。例えばパリで撮影されている映像にエッフェル塔が映ったときにユーザがエッフェル塔を選択する操作を行えば、属性検出部３１５は、選択されたエッフェル塔という属性を検出する。
【０１２４】
この場合に追尾モードが選択されると、映像配信部３０７は、３６０度映像にエッフェル塔が映っている限り、常時エッフェル塔が映った映像を配信する。追尾対象としては、他にも、例えば大道芸人、騎馬警官及び広場のオブジェ等が選択され得る。また、映像配信部３０７は、追尾対象が３６０度影像に映らなくなると、上述した追尾の解除を行い、再び映るようになると上述した追尾の再開を行う。
【０１２５】
また、ユーザ操作により追尾モードが解除されてもよい。また、追尾対象が複数選択されてもよい。その場合、映像配信部３０７は、前述した複数の属性が検出される場合のように各対象に優先順位を付与し（例えばユーザが先に選択したものほど優先順位を高くし）、優先順位が最も高い属性を有する対象を含む映像を配信する。これにより、ユーザは自分が見たい対象ほどよく映る映像を配信させることができる。
【０１２６】
［２−８］ガイド画像
他のユーザが撮影した映像を簡単に視聴させるための動作が行われてもよい。例えば、映像配信部３０７は、配信先のユーザとは別のユーザにより指定された指定部分を特定するためのガイド画像を重畳した映像をその配信先のユーザに配信してもよい。
【０１２７】
図１６は本変形例で表示されたガイド画像の一例を表す。図１６の例では、ユーザβの参加人端末２０に配信されたコンテンツが表されている。図１６（ａ）では、コンテンツ出力部２０３が、図１４（ａ）に表された映像Ｄ３のうち図１４（ａ）とは異なる範囲を表示させると共に、撮影ボタンＥ１及びガイドボタンＥ８を操作子画像として表示させている。
【０１２８】
ガイドボタンＥ８は、左向きの矢印の形をしていると共に、「６０度左でユーザαが撮影中」という文字列が表されている。このガイドボタンＥ８は、配信先のユーザβとは別のユーザであるユーザαにより指定された指定部分が左側に６０度向きを変えた方向であることを表しており、その指定部分を特定するためのガイド画像として機能している。
【０１２９】
映像配信部３０７は、ユーザαによる撮影操作が行われた場合に、そのときのユーザα及びβの指定範囲の差異（ユーザαの指定範囲がユーザβの指定範囲の左側６０度に位置している）に基づいてガイドボタンＥ８を映像Ｄ３に重畳させる。配信されるコンテンツが過去に撮影された映像である場合、映像配信部３０７は、過去に撮影操作が行われた撮影時刻の映像において、その撮影範囲（指定部分）を特定するためのガイド画像を重畳した映像を配信してもよい。
【０１３０】
映像配信部３０７は、ガイドボタンＥ８を押す操作が行われると、ガイド画像により特定される指定部分を表す映像を配信する。この例では、映像配信部３０７は、図１６（ｂ）に表すように被写体が表示面の中央に来る映像Ｄ３を配信する。映像配信部３０７は、例えば一定時間この映像を静止画像として配信する。ユーザβは、この映像が気に入ったら、一定時間の間に撮影ボタンＥ１を操作することで、同じ映像を撮影することができる。
【０１３１】
なお、映像配信部３０７は、静止画像ではなく動画像として（つまり現在撮影されている映像のまま）映像Ｄ３を配信してもよい。また、映像配信部３０７は、一定時間だけ遡ったところから映像Ｄ３を配信してもよい。そうすることで、ユーザβは、ユーザαが撮影したタイミングではなく、自分が気に入ったタイミングで撮影をすることができる。
【０１３２】
なお、本変形例では、図１１に表す再生操作ボタンＥ３が表示されてもよい。その場合、映像配信部３０７が、再生操作ボタンＥ３への操作に応じて配信する映像を早送り、早戻り及び一時停止させる（さらにスロー再生及びスロー戻しの操作子画像が含まれていればそれらも行わせる）。これにより、ユーザは、再生操作ボタンＥ３を利用できない場合に比べて、自分の気に入ったタイミングでの撮影をより簡単に行うことができるようになる。
【０１３３】
また、ガイド画像として、映像配信部３０７は、別のユーザにより指定された指定部分の撮影時刻と現在表示されている映像の撮影時刻との差分を表す画像をガイド画像として重畳させてもよい。例えば指定部分の撮影時刻が今から１０秒後であれば、「ユーザαが撮影した時刻まであと１０秒」という文字列（この時間をそのままカウントダウンさせてもよい）を表すガイド画像を重畳させる。これにより、別のユーザが撮影したタイミングを把握し易くすることができる。
【０１３４】
［２−９］提供処理
抽出された映像をユーザに提供するための提供処理は実施例で述べた方法に限らない。撮影映像保存部３１２は、例えば、上述したサムネイル画像の一覧を、参加人の電子メールアドレス又はＳＮＳ（Social Networking Service）のアカウントに送信することで映像を提供してもよい。また、撮影映像保存部３１２は、ユーザ毎に作成したフォルダに撮影映像を保存するフォルダ保存処理を提供処理として行ってもよい（ユーザは自分のフォルダを参照することで撮影映像を見ることができる）。
【０１３５】
また、撮影映像保存部３１２は、撮影映像を添付した電子メールをユーザの電子メールアドレスに送信するメール送信処理を提供処理として行ってもよい。また、撮影映像保存部３１２は、ウェブページに撮影映像を添付して、そのウェブページのＵＲＬ（Uniform Resource Locator）を参加人端末２０に送信するＵＲＬ送信処理を提供処理として行ってもよい。
【０１３６】
また、撮影映像保存部３１２は、ユーザが指定した印刷装置（例えば近所のコンビニエンスストアに設置されたネットワークに接続された印刷装置）に撮影映像を送信する印刷処理を提供処理として行ってもよい。この場合は映像が写真として印刷されてユーザに提供される。要するに、抽出された映像が最終的にユーザに提供されるのであれば、どのような方法で提供が行われてもよい。
【０１３７】
［２−１０］グループ共有
仮想旅行サービスは、何人かのグループで参加する場合がある。その場合に、撮影された映像をグループ内で簡単に共有できるようにしてもよい。本変形例では、撮影映像保存部３１２が、予め登録されるユーザ同士のグループを識別するグループＩＤと、そのグループに属するユーザの参加人端末２０の端末ＩＤとを対応付けたグループテーブルを記憶しておく。
【０１３８】
撮影映像保存部３１２は、撮影映像抽出部３１１により抽出された撮影映像を保存する際に、端末ＩＤに加えてグループＩＤを対応付けておく。撮影映像保存部３１２は、参加人端末２０から撮影映像の一覧を要求する要求データを受け取ると、その要求データが示す端末ＩＤと同じグループＩＤに対応付けて保存している映像のサムネイル画像の一覧を生成して参加人端末２０に送信する。
【０１３９】
本変形例の撮影映像保存部３１２は、以上のとおり、所定のグループに属するユーザが指定して撮影映像抽出部３１１により抽出された映像を、そのグループに属する他のユーザにも提供するための共有処理（グループ内で撮影された映像を共有するための処理）を行う。なお、共有処理は上記の処理に限らない。撮影映像保存部３１２は、例えば、上記のフォルダ保存処理を提供処理として行う場合、同じグループの他のユーザのフォルダにも撮影映像を保存する処理を共有処理として行ってもよい。
【０１４０】
また、メール送信処理であれば他のユーザの撮影映像を電子メールに添付し、ＵＲＬ送信処理であれば他のユーザの撮影映像をウェブページに添付すればよい。また、印刷処理であれば他のユーザが指定した印刷装置に撮影映像を送信すればよい。いずれの場合も、共有処理が行われない場合に比べて、グループ内での撮影された映像の共有を容易に行うことができる。
【０１４１】
［２−１１］代理人端末
実施例では代理人端末が３６０度映像を撮影したが、これに限らず、例えばパノラマ映像を撮影してもよいし、１画面に収まる通常の映像を撮影してもよい。なお、１画面に収まる通常の映像が撮影された場合でも、映像配信部３０７は、画質変更部３０４による画質変更処理を元映像のデータ量を減少させる処理として行い、その処理と並行してその処理で得られた映像を配信する。
【０１４２】
［２−１２］元映像
実施例では代理人端末１０により撮影された３６０度映像が元映像として用いられたが、これに限らない。前述したパノラマ映像又は１画面に収まる通常の映像が元映像として用いられてもよい。また、撮影された映像ではなく、ＣＧ等の作成された映像が元映像として用いられてもよい。いずれの場合も、配信時にはデータ量を減少させる処理が行われ、撮影時には元映像の一部が抽出されることで、配信映像から映像が抽出される場合に比べて、配信映像の一部をより高い画質で提供することができる。
【０１４３】
［２−１３］映像の指定部分
実施例では、映像の指定部分として、１フレームの映像が指定されたが、これに限らず、２以上のフレーム（つまり動画像）が指定されてもよい。この場合、図７に表す撮影ボタンＥ１でもよいが、より分かり易いように録画ボタンが表示されてもよい。
【０１４４】
撮影映像抽出部３１１は、録画ボタンが操作されたから録画が停止されるまでの録画期間に配信された映像の各フレームに対応するフレームを映像切出部３０２が記憶している切り出された映像から抽出する。また、１フレーム全体ではなく、そのうちの一部（例えば映像に映っている対象を囲んだ範囲の映像）が指定されてもよい。
【０１４５】
その場合、参加人端末２０は、表示している映像のうち表示面よりも小さい一部の範囲を指定する操作を受け付ける。その場合、撮影映像抽出部３１１は、そうして指定された範囲を元映像から切り出して抽出する。なお、この切り出しの処理は映像切出部３０２に行わせてもよい。いずれの場合も、撮影映像抽出部３１１は、配信された映像の元映像のうちの指定部分に対応する部分を撮影映像として抽出する。
【０１４６】
［２−１４］データ量を減少させる処理
データ量を減少させる減少処理は、実施例で述べたものに限らない。例えば、画質変更部３０４は、実施例では映像のピクセル数を減少させる処理を減少処理として行ったが、これ以外にも、映像を圧縮する処理（ビットマップ画像をＪＰＥＧ（Joint Photographic Experts Group）画像に変換する処理など）が減少処理として行われてもよい。
【０１４７】
また、映像の色数を減らす処理が減少処理として行われてもよい。また、代理人端末により１画面に収まる映像が撮影された場合に、その映像のサイズを小さくする処理（ピクセル数を減少させる処理と似ているが、映像全体を対象とする点が異なる）が減少処理として行われてもよい。要するに、代理人端末により撮影された元映像よりもデータ量が減少していれば、どのような処理が減少処理として行われてもよい。
【０１４８】
［２−１５］配信方法
実施例では、元映像（３６０度映像）のデータ量を減少させる処理（切出処理及び画質変更処理）と並行してそれらの処理で得られた映像が配信された。これを言い換えると、映像の配信の際には、元映像に対して常にデータ量を減少させる処理が行われていた。しかし、本発明は、データ量を減少させる処理を常時行うものに限定されるわけではない。
【０１４９】
映像配信部３０７は、例えば、データ量を減少させる処理で得られた影像の配信と、その処理を行わない配信（元映像のままの配信）とを必要に応じて切り替えながら配信を行ってもよい。この場合、３６０度映像をそのまま配信して参加人端末２０側で切り出しを行ってもよいが、無駄が多いので、例えば１画面に収まる通常の映像を元映像とする配信が想定される。
【０１５０】
本変形例の映像配信部３０７は、例えば、代理人又は参加人が映像の配信中に指定した期間（特に高画質で配信させたい映像が映っている期間等）だけ元映像をそのまま配信する。また、映像配信部３０７は、通信回線が混雑している期間（通信速度が閾値未満の期間）はデータ量を減少させる処理で得られた影像の配信を行い、それ以外の期間は元映像をそのまま配信するようにしてもよい。
【０１５１】
いずれの場合も、映像配信部３０７は、元映像に対してデータ量を減少させる処理を適宜行いながらその処理で得られた映像を配信する。本変形例でも、元映像を常にそのまま配信する場合に比べれば、映像配信における遅延が生じにくくなっている。もちろん、実施例のようにデータ量を減少させる処理を常に行った方が遅延は生じにくいが、その処理を行わない元映像のままの配信を混在させたとしても、本発明の効果を奏するということである。
【０１５２】
［２−１６］参加人端末
実施例ではヘッドマウントディスプレイが参加人端末として用いられたが、これに限らない。例えばスマートフォン、タブレット端末又はパソコン等が参加人端末として用いられてもよい。要するに、配信された映像を表示可能であり、上述した各操作（撮影操作等）を受け付け可能な装置であれば、どのような表示装置が参加人端末として用いられてもよい。
【０１５３】
［２−１７］各部を実現する装置
図５等に表す各機能を実現する装置は、それらの図に表された装置に限らない。例えば参加人端末２０が備える指定範囲決定部２０２を配信サーバ装置３０が実現してもよい。また、１台の装置（代理人端末、参加人端末及び配信サーバ装置）が備える各機能を２台以上の装置がそれぞれ分担して実現してもよい。要するに、仮想旅行システム全体としてこれらの機能が実現されていれば、仮想旅行システムが何台の装置を備えていてもよい。
【０１５４】
［２−１８］システム
上記の各例では、仮想旅行サービスを提供するためのシステム（仮想旅行システム）について説明したが、本発明は、他のシステムにも適用可能である。例えば、演奏、スポーツの試合、美術館等の観覧を仮想的に行うためのシステムに適用してもよい。また、ロボット又はドローンが撮影した映像を配信するシステムに適用してもよい。また、ライブ映像に限らず、上記変形例で述べたような蓄積された映像を配信するシステムに適用してもよい。要するに、商取引の対象が映る映像を配信するものであれば、本発明をどのようなシステムに適用してもよい。
【０１５５】
［２−１９］発明のカテゴリ
本発明は、代理人端末、参加人端末及び配信サーバ装置等の各情報処理装置の他、それらの装置を備える仮想旅行システム等の情報処理システムとしても捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【０１５６】
［２−２０］処理手順等
本明細書で説明した各実施例の処理手順、シーケンス、フローチャートなどは、矛盾がない限り、順序を入れ替えてもよい。例えば、本明細書で説明した方法については、例示的な順序で様々なステップの要素を提示しており、提示した特定の順序に限定されない。
【０１５７】
［２−２１］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１５８】
［２−２２］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１６０】
［２−２３］情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１６１】
［２−２４］システム、ネットワーク
本明細書で使用する「システム」及び「ネットワーク」という用語は、互換的に使用される。
【０１６２】
［２−２５］「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６３】
［２−２６］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１６４】
［２−２７］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１６５】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１６６】
１…仮想旅行システム、１０…代理人端末、２０…参加人端末、３０…配信サーバ装置、１０１…映像撮影部、１０２…周辺音録音部、１０３…カメラ向き測定部、１０４…撮影データ送信部、２０１…端末向き測定部、２０２…指定範囲決定部、２０３…コンテンツ出力部、２１１…撮影指示部、２１２…撮影映像表示部、３０１…元データ取得部、３０２…映像切出部、３０３…指定範囲取得部、３０４…画質変更部、３０５…コンテンツ生成部、３０６…コンテンツデータ送信部、３０７…映像配信部、３１１…撮影映像抽出部、３１２…撮影映像保存部、３１３…元データ蓄積部、３１４…第２元データ蓄積部、３１５…属性検出部。
【図１】
2019165369.tif 000003
【図２】
2019165369.tif 000004
【図３】
2019165369.tif 000005
【図４】
2019165369.tif 000006
【図５】
2019165369.tif 000007
【図６】
2019165369.tif 000008
【図７】
2019165369.tif 000009
【図８】
2019165369.tif 000010
【図９】
2019165369.tif 000011
【図１０】
2019165369.tif 000012
【図１１】
2019165369.tif 000013
【図１２】
2019165369.tif 000014
【図１３】
2019165369.tif 000015
【図１４】
2019165369.tif 000016
【図１５】
2019165369.tif 000017
【図１６】
2019165369.tif 000018